(57)【要約】【課題】構造が簡単で部品点数が少なく、植物の根を必要十分に張らせて成長を促進し、十分長持ちさせることが出来る壁面緑化装置を提供する。【解決手段】前面板部１及び後面板部２を有する中空パネル状に形成され、建築物Ｔの外壁面に沿って設置される装置本体６を備え、この中空パネル状装置本体６の前面板部１に多数の植込用開口部７を形成すると共に、各植込用開口部７の上半部側に装置本体６の内側へ突出する土除け庇部８を形成し、下半部側には装置本体６の外側へ突出する植込用土受け部９を形成し、前記中空パネル状装置本体６の内部及び各植込用土受け部９に植栽用土を充填し、各植込用土受け部９より植物Ｐを植え込むようにしてなる。【選択図】図１
2005160381.tif 000002
【特許請求の範囲】
【請求項１】
前面板部及び後面板部を有する中空パネル状に形成され、建築物の外壁面に沿って設置される装置本体を備え、この中空パネル状装置本体の前面板部に多数の植込用開口部を形成すると共に、各植込用開口部の上半部側に装置本体の内側へ突出する土除け庇部を形成し、下半部側には装置本体の外側へ突出する植込用土受け部を形成し、前記中空パネル状装置本体の内部及び各植込用土受け部に植栽用土を充填し、各植込用土受け部より植物を植え込むようにしてなる壁面緑化装置。
【請求項２】
前面板部及び後面板部を有する中空パネル状に形成され、建築物の外壁面に沿って設置される装置本体を備え、この中空パネル状装置本体の前面板部及び後面板部に夫々多数の植込用開口部を形成すると共に、各植込用開口部の上半部側に装置本体の内側へ突出する土除け庇部を形成し、下半部側には装置本体の外側へ突出する植込用土受け部を形成し、前記中空パネル状装置本体の内部及び各植込用土受け部に植栽用土を充填し、各植込用土受け部より植物を植え込むようにしてなる壁面緑化装置。
【請求項３】
前記装置本体の上端部に灌水用孔部を複数設けてなる請求項１又は２に記載の壁面緑化装置。
【請求項４】
前記孔部は、灌水用孔部の他に、植込み用の孔部及び植栽用土を投入する土投入用孔を兼ねている請求項３に記載の壁面緑化装置。
【請求項５】
前記装置本体の上端部には前記灌水用孔部に雨水を流し込むための傾斜状の雨水流し板を設けてなる請求項３又は４に記載の壁面緑化装置。
【発明の詳細な説明】
【技術分野】
【０００１】
本発明は、建物躯体の外壁面あるいはバルコニー、ベランダ、屋上等の手摺りの外壁面その他の建築物の外壁面を、自然植物の植栽によって緑化する壁面緑化装置に関するものである。
【背景技術】
【０００２】
近年、都市化の進展に伴って、都市域の地上気温が周辺部より高くなる所謂ヒートアイランド現象が著しくなっていることから、このヒートアイランド現象を緩和する目的で、緑化事業が推進されているが、その一環として建築物の外壁面等を緑化する壁面緑化装置が種々提案されている（例えば、引用文献１及び引用文献２参照）。
【特許文献１】特開平６−２２５６４５号公報
【特許文献２】特開２００２−３１５４３６号公報
【発明の開示】
【発明が解決しようとする課題】
【０００３】
上記特許文献１，２に記載されているような壁面緑化装置は、構造が複雑で部品点数が多く、製作コストが高くつき、またこれらの緑化装置では、根を張る範囲が一定の比較的狭い部分に制限されるために、植物は根を必要十分に張ることが出来ず、長持ちし難い、という問題がある。
【０００４】
本発明は、上記の課題に鑑み、構造が簡単で部品点数が少なく、製作が簡単であると共に、植物の根を必要十分に張らせることが出来て植物の成長を促進させ、十分長持ちさせることの出来る壁面緑化装置を提供することを目的とする。
【課題を解決するための手段】
【０００５】
上記課題を解決するための手段を、後述する実施形態の参照符号を付して説明すると、請求項１に係る発明の壁面緑化装置は、前面板部１及び後面板部２を有する中空パネル状に形成され、建築物Ｔの外壁面に沿って設置される装置本体６を備え、この中空パネル状装置本体６の前面板部１に多数の植込用開口部７を形成すると共に、各植込用開口部７の上半部側に装置本体６の内側へ突出する土除け庇部８を形成し、下半部側には装置本体６の外側へ突出する植込用土受け部９を形成し、前記中空パネル状装置本体６の内部及び各植込用土受け部９に植栽用土を充填し、各植込用土受け部９より植物を植え込むようにしてなることを特徴とする。
【０００６】
請求項２に係る発明の壁面緑化装置は、前面板部１及び後面板部２を有する中空パネル状に形成され、建築物Ｔの外壁面に沿って設置される装置本体６を備え、この中空パネル状装置本体６の前面板部１及び後面板部２に夫々多数の植込用開口部７を形成すると共に、各植込用開口部７の上半部側に装置本体６の内側へ突出する土除け庇部８を形成し、下半部側には装置本体６の外側へ突出する植込用土受け部９を形成し、前記中空パネル状装置本体６の内部及び各植込用土受け部９に植栽用土を充填し、各植込用土受け部９より植物を植え込むようにしてなることを特徴とする。
【０００７】
請求項３は、請求項１又は２に記載の壁面緑化装置において、前記装置本体６の上端部に灌水用孔部１０を複数設けてなることを特徴とする。
【０００８】
請求項４は、請求項３に記載の壁面緑化装置において、前記孔部１０は、灌水用孔部の他に、植込み用の孔部及び植栽用土を投入する土投入用孔を兼ねていることを特徴とする。
【０００９】
請求項５は、請求項３又は４に記載の壁面緑化装置において、前記装置本体６の上端部には前記灌水用孔部１０に雨水を流し込むための傾斜状の雨水流し板１１を設けてなることを特徴とする。
【発明の効果】
【００１０】
上記解決手段による発明の効果を、後述する実施形態の参照符号を付して説明すると、  請求項１に係る発明の壁面緑化装置によれば、装置本体６の各植込用土受け部９より植え込んだ植物Ｐにより建築物を壁面緑化して、ヒートアイランド現象の低減に寄与出来ると共に、内部に植栽用土Ｇを充填し且つ前面板部１側に植物Ｐを植栽した装置本体６の断熱作用及び防音作用によって、普通の壁面同様に内外部からの断熱及び防音に優れた効果を発揮することが出来る。そして特にこの壁面緑化装置は、装置全体の構造が簡素にして部品点数が少ないから、製作が容易でコストを安く出来、装置の搬送及び取付施工が簡単容易となる。また植栽用土Ｇの充填に際しては、装置本体６の上部より植栽用土Ｇを投入すれば、土除け庇部８によって、植込用開口部７から植栽用土Ｇをこぼすことなく、装置本体６の内部及び各植込用土受け部９にわたって一様に植栽用土Ｇを充填することが出来る。
【００１１】
請求項２に係る発明の壁面緑化装置によれば、上記のような請求項１の効果に加えて、装置本体６の前面板部１及び後面板部２の両面側で植物Ｐを植栽できるから、手摺りＴ等の外壁面と内壁面とを同時に緑化することが出来ると共に、内部に植栽用土Ｇを充填し且つ前面板部１と後面板部２の両面側に植物Ｐを植栽した装置本体６の断熱作用及び防音作用によって、建築物の断熱及び防音に非常に優れた効果を発揮することが出来る。
【００１２】
請求項３に係る発明の壁面緑化装置によれば、装置本体６の上端部に灌水用孔部１０を複数設けたことにより、装置本体６内部に必要以上の水を供給することがなく、灌水を有効に行わせることが出来ると共に、灌水が容易となる。
【００１３】
請求項４に係る発明の壁面緑化装置によれば、前記孔部１０と、灌水用孔部の他に、植込み用の孔部及び植栽用土を投入する土投入用孔を兼ねているから、灌水及び植栽用土Ｇの投入を効果的に行わせることができると共に、装置本体６の上端部での植物Ｐの植栽が可能で、装置本体６の上端部での緑化が可能となる。
【００１４】
請求項５に係る発明の壁面緑化装置によれば、装置本体６の上端部に雨水流し板１１を設けることにより、降雨時の雨水を、この流し板で集水して灌水用孔部１０に有効に注ぎ込むことが出来る。
【発明を実施するための最良の形態】
【００１５】
以下に本発明の好適な実施形態について図面を参照しながら説明すると、図１の(a) は本発明に係る壁面緑化装置Ａをバルコニーの手摺りに設置した状態を屋外側から見た正面図、(b) は(a) のＶ−Ｖ線断面図である。図２は同壁面緑化装置Ａの一部分を拡大して正面側から見た斜視図、図３の(a) は図１の(a) のＸ−Ｘ線拡大断面図、(b) は図１の(a)
のＹ−Ｙ線拡大断面図である。図４は植物を植栽した状態を示す図３の(a) と同様な壁面緑化装置Ａの断面図、図５は同じく植物を植栽した状態を示す図３の(b) と同様な壁面緑化装置Ａの断面図である。この壁面緑化装置Ａは、夫々アルミニウム板からなる前面板部１、後面板部２及び上下左右の側板部３，４，５，５によって中空パネル状に形成された装置本体６を有する。
【００１６】
この中空パネル状装置本体６の前面板部１には多数の植込用開口部７が形成されると共に、各植込用開口部７の上半部側には中空パネル状装置本体６の内側へ突出する正面視三角形状の土除け庇部８が形成され、各植込用開口部７の下半部側には中空パネル状装置本体６の外側へ突出する正面視逆三角形状の植込用土受け部９が形成されている。
【００１７】
装置本体６の前面板部１に植込用開口部７を形成すると共に、各植込用開口部７に土除け庇部８及び植込用土受け部９を形成するにあたっては、先ず最初に、前面板部１に例えば打ち抜き加工によって多数の菱形状切り抜き部ＣＯを縦横整列状に形成する。そして、各菱形状切り抜き部ＣＯの上半部側開口端部に、予めアルミニウム板で三角山形に形成した土除け庇部８を、装置本体６の内側へ突出するように溶接によって固着し、また下半部側開口端部に、同じくアルミニウム板で予め三角山形状に形成した植込用土受け部９を、土除け庇部８とは反対に装置本体６の外側へ突出するように溶接により固着し、こうして各菱形状切り抜き部ＣＯの開口端部の上半部側に土除け庇部８を、下半部側に植込用土受け部９を夫々固着することによって、土除け庇部８と植込用土受け部９との間に植込用開口部７が形成される。
【００１８】
この実施形態では土除け庇部８及び植込用土受け部９が夫々正面視山形に形成されたものであるが、これに限らず、正面視矩形状や正面視半円形状に形成されたものでもよい。土除け庇部８及び植込用土受け部９が正面視矩形状の場合は、上記切り抜き部ＣＯ全体の形状が矩形状となり、また正面視半円状の場合は切り抜き部ＣＯ全体の形状が円形状となる。
【００１９】
また、この実施形態では、各切り抜き部ＣＯの上半部側開口端部及び下半部側開口端部に予め形成した土除け庇部８及び植込用土受け部９を、夫々溶接によって固着するようにしているが、溶接以外の固着方法としては、予め形成する土除け庇部８及び植込用土受け部９に夫々取付代を設けておいて、この取付代を各切り抜き部ＣＯの開口端部近傍にビス止めしたり、リベット接合するようにしてもよい。
【００２０】
また、この実施形態では、上記のように前面板部１に切り抜き部ＣＯを形成して、この切り抜き部ＣＯの上半部側開口端部及び下半部側開口端部に予め形成した土除け庇部８及び植込用土受け部９を後付けするようにしたものであるが、装置本体６を延性の優れた金属板で形成することが出来れば、前面板部１に横に延びる直線状の切り込みを多数形成しておいて、プレス加工により各切り込みの上側部分を装置本体６の内側へ例えば三角山形状に突出させ、同切り込み部分の下側部分を装置本体６の外側へ同じく三角山形状に突出させることによって、土除け庇部８と植込用土受け部９とを前面板部１と一体に形成し、同時に土除け庇部８と植込用土受け部９との間に植込用開口部７を形成することが出来る。
【００２１】
上記装置本体６の上側板部３には、複数の灌水用孔部１０が所要間隔おきに設けられている。このように装置本体６の上側板部３に灌水用孔部１０を複数設けたことによって、装置本体６内部に必要以上の水を供給することがなく、灌水を有効に行わせることが出来ると共に、灌水が容易となる。各孔部１０は、灌水のための孔部の他に，植込み用の孔部及び植栽用土を投入する土投入用孔も兼ねているため、図示のように相当大きな円形状に形成されている。即ち、灌水だけの目的であれば、孔部の径は比較的小さくてもよいが、孔部から植栽用土を投入すると共に、植物を植え込むことが出来るように、十分に大きく形成されている。各孔部１０が灌水用と植込み用と土投入用とを兼ねていることにより、灌水及び植栽用土Ｇの投入を効果的に行わせることができると共に、装置本体６の上端部での植物Ｐの植栽が可能で、装置本体６の上端部での緑化が可能となる。
【００２２】
また、装置本体６の上側板部３の後端には、植込み用孔部を兼ねた前記灌水用孔部１０に雨水を流し込むための傾斜状の雨水流し板１１が設けられている。この雨水流し板１１は、装置本体６の形成材料と同じアルミニウム板によって形成され、そして下端取付部１１ａがビス等によって装置本体６の後板部２の上端部に取付け固定される。前面板部１の上端部には、雨水流し板１１から流れてきた雨水をせき止める止水壁１２が設けてある。また、図示は省略するが、装置本体６の下側板部４には排水孔（水抜き孔）が設けられている。
【００２３】
上記のような構成よりなる壁面緑化装置Ａは、図１に例示するようにバルコニーの手摺りＴの外壁面下部側に取り付けられる。この手摺りＴは、バルコニーの室外側にある堰壁部２０上に立設された複数本の笠木支柱２１と、これら笠木支柱２１の上端部をつなく手摺笠木２２と、隣り合う笠木支柱２１，２１の上半部間に横架される横桟２３とから構成される。しかして、この壁面緑化装置Ａの取付けにあたっては、装置本体６を手摺りＴの外壁面側に配置し、装置本体６の後面板部２に取り付けられている取付用ブラケット１３を、隣り合う笠木支柱２１，２１の対向側面に例えばビス止めすればよい。
【００２４】
壁面緑化装置Ａの使用にあたって、先ず、所要の植栽用土Ｇを中空パネル状装置本体６の内部及び各植込用土受け部９に充填する。この植栽用土Ｇの充填は、装置本体６の上端部に設けてある各灌水用孔部１０より行う。各灌水用孔部１０より投入される植栽用土Ｇは、各植込用開口部７の上半部側に設けられた土除け庇部８に当たってその左右両側を通り、あるいは土除け庇部８と後面板部２との間を通って流下し、装置本体６の底部より漸次堆積しつつ、各植込用開口部７の植込用土受け部９側に流入して、各植込用土受け部９に充填供給される。
【００２５】
この場合、各植込用開口部７の上半部側に設けられた土除け庇部８は、装置本体６の上部側から装置本体６内部に充填される植栽用土Ｇが植込用土受け部９に流れ込んでそのまま植込用土受け部９の外へこぼれ出るのを阻止するものである。因みに、各植込用開口部７に土除け庇部８が設けられていなければ、装置本体６内部に充填される植栽用土Ｇが植込用土受け部９からこぼれ出てしまい、適正な充填が出来なくなる。
【００２６】
上記のように植栽用土Ｇを装置本体６の各灌水用孔部１０から投入することで、装置本体６の内部全体及び各植込用土受け部９に殆ど一様に植栽用土Ｇを充填することが出来るが、植込用土受け部９への充填量が少ない場合には、植込用開口部７の外側から植込用土受け部９に植栽用土Ｇを補充すればよい。
【００２７】
上記のようにして装置本体６の内部及び各植込用土受け部９に植栽用土Ｇを充填したならば、各植込用土受け部９より植物Ｐを植え込んで植栽する。また装置本体６上部の灌水用孔部１０からも植物Ｐを植え込むことが出来る。植栽する植物Ｐとしては、セダムが最も好ましい。このセダムは、多肉植物の仲間で、少量の水と土で育つ非常に丈夫な植物である。勿論、セダム以外の他の適当な植物を植栽することが出来るものである。
【００２８】
図１、図４及び図５には、装置本体６の各植込用土受け部９及び装置本体６の上部に夫々植え込んで植栽した植物Ｐがある程度成長した状態を示す。各植込用土受け部９に植物Ｐを植え込む場合は、図４に示すように、植込用土受け部９だけでなく、植込用土受け部９を越えてその奥側にも植え込むことが出来る。こうして装置本体６に植栽した植物Ｐは、図示は省略するが、更に成長して繁茂し、装置本体６の前面板部１全体を覆って緑の壁を形成し、手摺りＴの外壁面を緑化することが出来る。この壁面緑化装置Ａは、手摺りＴの一部を構成するものである。
【００２９】
灌水を必要とする場合は、散水用ホース等によって装置本体６の上方より散水すれば、その水が、装置本体６上部の灌水用孔部１０から装置本体６内部に流入し、また各植込用開口部７より植込用土受け部９に供給されるから、容易に灌水を行うことが出来る。また、降雨時には、雨水が灌水用孔部１０から装置本体６内部に流入し、各植込用開口部７の植込用土受け部９に注がれて、自然灌水を行うことが出来る。
【００３０】
また、装置本体６の上端部には雨水流し板１１が設けてあるため、降雨時の雨水を、この流し板１１で集水して灌水用孔部１０に有効に注ぎ込むことが出来る。また、この際、前面板部１の上端部に設けられた止水壁１２によって、雨水流し板１１から流れてきた雨水がせき止められるから、灌水用孔部１０への雨水の注ぎ込みを一層有効に行わせることが出来る。
【００３１】
上述した壁面緑化装置Ａは、前面板部１、後面板部２及び上下左右の側板部３，４，５とによって中空パネル状に形成された装置本体６を有し、この中空パネル状装置本体６の前面板部１に多数の植込用開口部７を形成すると共に、各植込用開口部７の上半部側に土除け庇部８を形成し、下半部側に植込用土受け部９を形成し、装置本体６の内部及び各植込用土受け部９に植栽用土を充填し、各植込用土受け部９より植物Ｐを植え込のようにしたもので、この植え込んだ植物Ｐの成長によって手摺りＴを壁面緑化すると共に、内部に植栽用土Ｇを充填し且つ前面板部１側に植物Ｐを植栽した装置本体６が断熱作用及び防音作用で手摺りＴの内外部からの断熱及び防音に優れた効果を発揮することが出来る一方、装置全体の構造が簡素にして部品点数が少ないから、製作が容易でコストを安く出来、装置の搬送及び取付施工が簡単容易となり、そして植栽用土Ｇの充填に際しては灌水用孔部１０より植栽用土Ｇを投入することにより、装置本体６の内部及び各植込用土受け部９にわたって一様に植栽用土を充填することが出来る。
【００３２】
そしてまた、各植込用土受け部９より植え込んだ植物Ｐは、植込用土受け部９の部分だけでなく、植込用土受け部９を越えて装置本体６の内部まで根を伸ばして必要十分に張ることが出来るから、植物Ｐの成長を促進し、植栽寿命を十分長く延ばすことが出来る。
【００３３】
図１〜図５によって説明した壁面緑化装置Ａは、中空パネル状装置本体６の前面板部１に多数の植込用開口部７を形成すると共に、各植込用開口部７の上半部側に装置本体６の内側へ突出する土除け庇部８を形成したものであるが、図６には、中空パネル状装置本体６の前面板部１と後面板部２との両板部１，２に夫々多数の植込用開口部７を形成すると共に、各板部１，２の夫々の植込用開口部７の上半部側に装置本体６の内側へ突出する土除け庇部８を形成し、下半部側には装置本体６の外側へ突出する植込用土受け部９を形成してなる壁面緑化装置Ｂを示す。
【００３４】
この壁面緑化装置Ｂの後面板部２に形成される植込用開口部７、土除け庇部８及び植込用土受け部９の夫々の構成及び作用については、上述した壁面緑化装置Ａにおける植込用開口部７、土除け庇部８及び植込用土受け部９と同じであるため、図６の(a) 及び(b) には図１の(a) 及び(b) に示す壁面緑化装置Ａと同じ符号を付して、その構成及び作用の説明を省略する。この壁面緑化装置Ｂでは、装置本体６に植栽した植物Ｐは、成長して繁茂し、装置本体６の前面板部１及び後面板部２の夫々全体を覆うようになり、それによって手摺りＴの外壁面と内壁面とを同時に緑化することが出来、この実施形態のようにバルコニーやベランダの手摺りに適用した場合に特に有効である。
【００３５】
以上説明した実施形態では、装置本体６の上側板部３に設けた孔部１０より装置本体６内への植栽用土Ｇの充填を行うようにしているが、装置本体６の上側板部３を無くして、装置本体６の上端面を全面開口した構造にすることにより、その上端全面開口部より植栽用土Ｇの充填をようにしてもよい。また、灌水もその上端全面開口部より行うようにすることが出来る。
【００３６】
また、上述の実施形態では、手摺りの外壁面に設置した壁面緑化装置Ａ，Ｂについて説明したが、本発明に係る壁面緑化装置は、建物躯体の外壁面にも設置することも出来るもので、特に内部に植栽用土Ｇを充填した装置本体６が断熱作用及び防音作用によって、建物躯体の外壁同様に内外部からの断熱及び防音に優れた効果を発揮することが出来る。
【図面の簡単な説明】
【００３７】
【図１】(a) は本発明に係る壁面緑化装置をバルコニーの手摺りに設置した状態を屋外側から見た正面図、(b) は(a) のＶ−Ｖ線断面図である。
【図２】同壁面緑化装置の一部分を拡大して正面側から見た斜視図である。
【図３】(a) は図１の(a) のＸ−Ｘ線拡大断面図、(b) は図１の(a) のＹ−Ｙ線拡大断面図である。
【図４】植物を植栽した状態を示す図３の(a) と同様な壁面緑化装置の断面図である。
【図５】同じく植物を植栽した状態を示す図３の(b) と同様な壁面緑化装置の断面図である。
【図６】(a) は装置本体の前面板部と後面板部との両板部に夫々多数の植込用開口部を形成した壁面緑化装置の実施形態を示す図１の(a) と同様な正面図、(b) は(a) のＺ−Ｚ線断面図である。
【符号の説明】
【００３８】
Ａ，Ｂ        壁面緑化装置
１            前面板部
２            後面板部
６            装置本体
７            植込用開口部
８            土除け庇部
９            植込用土受け部
１０          灌水用孔部
Ｐ            植物
Ｇ            植栽用土
【図１】
2005160381.tif 000003
【図２】
2005160381.tif 000004
【図３】
2005160381.tif 000005
【図４】
2005160381.tif 000006
【図５】
2005160381.tif 000007
【図６】
2005160381.tif 000008